(57)【要約】【課題】フリッカ等の画質の劣化を抑えつつ、画像表示中に各サブフィールドの輝度重みを変更すること。【解決手段】画像信号の１フレームを複数のサブフィールドで構成し、各サブフィールドを発光又は非発光制御し多階調表示する画像表示装置であって、各サブフィールドに割り当てられる輝度重みが定められた複数の輝度重みテーブルを記憶するテーブル記憶１１１部と、画像信号を分析し画像信号の特徴に対応した１の輝度重みテーブルを選択する画像分析部１１２と、選択された輝度重みテーブルをテーブル記憶部から読み出して出力するテーブル出力部１１３と、を含み、テーブル出力部は、輝度重みテーブルの選択が切り替わるときに、各サブフィールドに割り当てられる輝度重みが、過去に選択された輝度重みテーブルの輝度重みから、新たに選択された輝度重みテーブルの輝度重みに段階的に遷移するよう定められた１又は２以上の遷移輝度重みテーブルを出力する。【選択図】図２
2008165045.tif 000002
【特許請求の範囲】
【請求項１】
画像信号の１フレームを輝度重みの異なる複数のサブフィールドで構成し、前記各サブフィールドを発光又は非発光制御することにより多階調表示をする画像表示装置であって、
前記各サブフィールドに割り当てられる前記輝度重みが定められた複数の輝度重みテーブルを記憶するテーブル記憶部と、
前記画像信号を分析して、前記複数の輝度重みテーブルの中から、前記画像信号の特徴に対応した１の輝度重みテーブルを選択する画像分析部と、
前記画像分析部により選択された前記輝度重みテーブルを、前記テーブル記憶部から読み出して、前記読み出した輝度重みテーブルを出力するテーブル出力部と、
を含み、
前記テーブル出力部は、前記画像分析部による前記輝度重みテーブルの選択が切り替わるときに、前記各サブフィールドに割り当てられる前記輝度重みが、過去に選択された前記輝度重みテーブルの前記輝度重みから、新たに選択された前記輝度重みテーブルの前記輝度重みに段階的に遷移するように定められた１又は２以上の遷移輝度重みテーブルを出力することを特徴とする、画像表示装置。
【請求項２】
前記テーブル出力部は、複数の前記遷移輝度重みテーブルを、所定数のフレーム毎に順次出力することを特徴とする、請求項１に記載の画像形成装置。
【請求項３】
前記複数の輝度重みテーブルは、前記画像信号の低階調表示に対応する低階調表示用輝度重みテーブルと、前記画像信号の高階調表示に対応する高階調表示用輝度重みテーブルと、を含むことを特徴とする、請求項１又は２に記載の画像表示装置。
【請求項４】
前記画像分析部は、
前記画像信号が動画を表す場合に、前記低階調表示用輝度重みテーブルを選択し、
前記画像信号が静止画を表す場合に、前記高階調表示用輝度重みテーブルを選択することを特徴とする、請求項３に記載の画像表示装置。
【請求項５】
前記画像分析部は、
前記画像信号の表す輝度分布に応じて、前記低階調表示用輝度重みテーブル又は前記高階調表示用輝度重みテーブルを選択することを特徴とする、請求項３に記載の画像表示装置。
【請求項６】
前記複数の輝度重みテーブルは、前記画像信号の低輝度分布に対応する低輝度用輝度重みテーブルと、前記画像信号の全輝度分布に対応する全輝度用輝度重みテーブルと、を含むことを特徴とする、請求項１又は２に記載の画像表示装置。
【請求項７】
前記画像分析部は、
前記画像信号の表す輝度分布に応じて、前記低輝度用輝度重みテーブル又は前記全輝度用輝度重みテーブルを選択することを特徴とする、請求項６に記載の画像表示装置。
【請求項８】
前記遷移輝度重みテーブルは、前記テーブル記憶部に予め記憶されており、
前記テーブル出力部は、前記遷移輝度重みテーブルを前記テーブル記憶部から読み出して、前記読み出した遷移輝度重みテーブルを出力することを特徴とする、請求項１〜７のいずれかに記載の画像表示装置。
【請求項９】
前記テーブル出力部は、切り替え前後の前記輝度重みテーブルの輝度重みに基づいて、前記遷移輝度重みテーブルを生成し、前記生成した遷移輝度重みテーブルを出力することを特徴とする、請求項１〜７のいずれかに記載の画像表示装置。
【請求項１０】
画像信号の１フレームを輝度重みの異なる複数のサブフィールドで構成し、前記各サブフィールドを発光又は非発光制御することにより多階調表示をする画像表示方法であって、
テーブル記憶部に記憶された、前記各サブフィールドに割り当てられる前記輝度重みが定められた複数の輝度重みテーブルの中から、選択された１の輝度重みテーブルを読み出して、前記読み出した輝度重みテーブルを出力する第１テーブル出力ステップと、
前記画像信号を分析して、前記複数の輝度重みテーブルの中から、前記画像信号の特徴に対応した１の輝度重みテーブルを新たに選択する選択ステップと、
前記各サブフィールドに割り当てられる前記輝度重みが、前記第１テーブル出力ステップにおいて出力されている前記輝度重みテーブルの前記輝度重みから、前記選択ステップにおいて新たに選択された前記輝度重みテーブルの前記輝度重みに段階的に遷移するように定められた１又は２以上の遷移輝度重みテーブルを出力する遷移テーブル出力ステップと、
前記選択ステップにおいて新たに選択された１の輝度重みテーブルを読み出して、前記読み出した輝度重みテーブルを出力する第２テーブル出力ステップと、
を含むことを特徴とする、画像表示方法。
【請求項１１】
前記遷移テーブル出力ステップは、複数の前記遷移輝度重みテーブルを、所定数のフレーム毎に順次出力することを特徴とする、請求項１０に記載の画像形成装置。
【請求項１２】
前記複数の輝度重みテーブルは、前記画像信号の低階調表示に対応する低階調表示用輝度重みテーブルと、前記画像信号の高階調表示に対応する高階調表示用輝度重みテーブルと、を含むことを特徴とする、請求項１０又は１１に記載の画像表示方法。
【請求項１３】
前記選択ステップでは、
前記画像信号が動画を表す場合に、前記低階調表示用輝度重みテーブルを選択し、
前記画像信号が静止画を表す場合に、前記高階調表示用輝度重みテーブルを選択することを特徴とする、請求項１２に記載の画像表示方法。
【請求項１４】
前記選択ステップでは、
前記画像信号の表す輝度分布に応じて、前記低階調表示用輝度重みテーブル又は前記高階調表示用輝度重みテーブルを選択することを特徴とする、請求項１２に記載の画像表示方法。
【請求項１５】
前記複数の輝度重みテーブルは、前記画像信号の低輝度分布に対応する低輝度用輝度重みテーブルと、前記画像信号の全輝度分布に対応する全輝度用輝度重みテーブルと、を含むことを特徴とする、請求項１０又は１１に記載の画像表示方法。
【請求項１６】
前記選択ステップでは、
前記画像信号の表す輝度分布に応じて、前記低輝度用輝度重みテーブル又は前記全輝度用輝度重みテーブルを選択することを特徴とする、請求項１５に記載の画像表示方法。
【請求項１７】
前記遷移テーブル出力ステップは、
前記テーブル記憶部に予め記憶された１又は２以上の前記遷移輝度重みテーブルを、読み出す読み出しステップと、
前記読み出した輝度重みテーブルを出力する出力ステップと、
を含むことを特徴とする、請求項１０〜１６のいずれかに記載の画像表示方法。
【請求項１８】
前記遷移テーブル出力ステップは、
前記第１テーブル出力ステップにおいて出力されている前記輝度重みテーブルの前記輝度重みと、前記選択ステップにおいて新たに選択された前記輝度重みテーブルの前記輝度重みと、に基づいて、前記遷移輝度重みテーブルを生成する生成ステップと、
前記生成した輝度重みテーブルを出力する出力ステップと、
を含むことを特徴とする、請求項１０〜１６のいずれかに記載の画像表示方法。
【発明の詳細な説明】
【技術分野】
【０００１】
本発明は、画像表示装置及び画像表示方法に関する。
【背景技術】
【０００２】
発光と非発光との２値制御によって画像表示を行う画像表示装置、例えば、プラズマディスプレイ装置等は、一般的には、画像の１フレーム分を複数のサブフィールド（Ｓｕｂ  Ｆｉｅｌｄ：ＳＦ）に分割して表示することで多階調表示を行う、いわゆるサブフィールド法によって画像を表示する。このサブフィールド法によれば、１フレームの時間を複数のサブフィールドに分割し、発光回数又は発光量を表す重みを複数のサブフィールドのそれぞれに割り当て、発光させるサブフィールドの組み合わせによって階調表示を行う。このサブフィールドに割り当てられる重みを、輝度重みという（Ｓｕｂ  Ｆｉｅｌｄ  Ｗｅｉｇｈｔ：ＳＦＷ）。
【０００３】
それぞれの１フレームが８サブフィールド（ＳＦ１〜ＳＦ８）に分割された場合、各サブフィールドには、例えば、（１、２、４、８、１６、３２、６４、１２８）の輝度重みが割り当てられる。各サブフィールドは、画素ごとに発光させるか非発光させるかのデータを書込むアドレス期間（書込み期間）、及び、発光すべくデータが書き込まれた全ての画素を一斉に発光させるサステイン期間（維持期間）等を含む。これらのサブフィールドを組み合わせて発光させることにより、０階調から２５５階調までの２５６段階の階調が表示される。例えば、１１階調（輝度１１）を表示する場合、輝度重み「１」、「２」、「８」をそれぞれ有するＳＦ１、ＳＦ２、ＳＦ４が発光される。
【０００４】
また、この表示できる階調の段階数（以下、階調数という。）は、発光されるサブフィールドの輝度重みの総和の種類の数となる。上記の例では、発光されるサブフィールドの組み合わせによって、輝度重みの総和は、例えば、（０、１、２、３、４、…、２５４、２５５）の２５６種類がある。よって、階調数は、２５６となる。
【０００５】
このようなサブフィールド法を用いて多階調表示する画像表示装置においては、動画表示中に画質が劣化して観測される現象が生じることが知られている。その原因の１つに、動画を表示している画像表示装置において、発光していない箇所を追従して観測した場合に、存在しない偽の輪郭が観測される、いわゆる動画擬似輪郭がある。この動画擬似輪郭について、ここでの詳しい説明は省略する。
【０００６】
このような動画擬似輪郭の発生を低減するために、階調数を変えずに、１フレームの分割数を多くし、サブフィールドの個数を多くする。サブフィールドの個数を多くすることにより、各サブフィールドに割り当てられる輝度重みが小さくなる。よって、同じ階調を表示する際に非発光サブフィールドを減少させることができるので、動画擬似輪郭の発生を低減することができる。また、階調数は減少するものの、非発光サブフィールドの少ない発行パターンだけを階調表示に使用すれば、動画擬似輪郭の低減性能は向上する。更に、ディザ法等の様々な画像処理法を使用すれば、非発光サブフィールドの位置が分散されることにより、動画擬似輪郭の低減性能を向上することもできる。しかし、上記のような動画擬似輪郭の発生を低減するための画像処理方法によれば、動画を表示する際に画像がチラついて観測されるというノイズ感が発生する。
【０００７】
そこで、動画のノイズ感を抑えるためには、上記同様、階調数を変えずに１フレームあたりのサブフィールドの個数を多くするか、サブフィールドの個数を変えずに階調数を減らし、サブフィールドの個数に対する階調数を減らす必要がある。しかし、サブフィールドの個数を多くすると、ドライバーの数を増やす必要がありコストが増加してしまう。また、階調数を減らすと、静止画の解像度が低下するため、画質の劣化を招く。
【０００８】
上述のように画像表示装置の画質を向上させるためには、「動画擬似輪郭の発生の低減」、「動画におけるノイズ感の除去」、「階調数の向上」という３つの解決すべき要素がある。
【０００９】
尚、このような動画擬似輪郭の発生を低減する方法として、輝度重みを割り当てる順番を変更する等の改良が成されている。例えば、特許文献１には、大きい輝度重みが割り当てられるサブフィールドの間のサブフィールドに小さい輝度重みを割り当てることが開示されている。また、特許文献２には、最後のサブフィールドと、その直前のサブフィールドとの輝度重みの差が最大になるように、かつ、後のサブフィールドから先のサブフィールドになるほど隣接するサブフィールド間の輝度重みの差が小さくなるように、輝度重みを割り当てることが開示されている。
【００１０】
【特許文献１】特開２００３−１７７７０８号公報
【特許文献２】特開２００６−１９５３２９号公報
【発明の開示】
【発明が解決しようとする課題】
【００１１】
しかし、従来の画像表示装置では、画像を連続的に表示している際に各サブフィールドに割り当てられた輝度重みが固定されていたため、表示可能な「階調数」も固定されていた。また、この階調数は、動画擬似輪郭の発生を低減し、かつ、階調数が多くなるように、決定されていた。よって、従来の画像表示装置によれば、動画擬似輪郭の発生を低減するような最大の階調数が設定されるため、動画におけるノイズ感を除去することはできないという問題があった。
【００１２】
また、動画におけるノイズ感を取り除くために、画像を連続的に表示している間に「階調数」を変更しようとすると、即ち、各サブフィールドの輝度重みを変更しようとすると、画像がちらついて観測される、いわゆる、フリッカ等が発生し、画質が劣化するという問題があった。また、従来の画像表示装置では、使用者等が画像モード等を切り替えると、連続的な画像の表示を一端中断又は停止した後に、階調数を変更していたため、画像を連続表示させつつ、画質を向上させることはできないという問題があった。尚、以下では、画像を連続的に表示している際に階調数を変更することを、「動的な切替方法」といい、画像の表示を一端中断又は停止して階調数を変更することを、「静的な切替方法」という。
【００１３】
そこで、本発明は、上記問題に鑑みてなされたものであり、本発明の目的とするところは、フリッカ等の画質の劣化を抑えつつ、画像表示中に各サブフィールドの輝度重みを変更することが可能な、新規かつ改良された画像表示装置及び画像表示方法を提供することにある。
【課題を解決するための手段】
【００１４】
上記課題を解決するために、本発明のある観点によれば、画像信号の１フレームを輝度重みの異なる複数のサブフィールドで構成し、各サブフィールドを発光又は非発光制御することにより多階調表示をする画像表示装置であって、各サブフィールドに割り当てられる輝度重みが定められた複数の輝度重みテーブルを記憶するテーブル記憶部と、画像信号を分析して、複数の輝度重みテーブルの中から、画像信号の特徴に対応した１の輝度重みテーブルを選択する画像分析部と、画像分析部により選択された輝度重みテーブルを、テーブル記憶部から読み出して、読み出した輝度重みテーブルを出力するテーブル出力部と、を含み、テーブル出力部は、画像分析部による輝度重みテーブルの選択が切り替わるときに、各サブフィールドに割り当てられる輝度重みが、過去に選択された輝度重みテーブルの輝度重みから、新たに選択された輝度重みテーブルの輝度重みに段階的に遷移するように定められた１又は２以上の遷移輝度重みテーブルを出力することを特徴とする、画像表示装置が提供される。
【００１５】
かかる構成によれば、画像分析部は、画像信号を分析して、画像信号の特徴を抽出し、この特徴に対応した輝度重みテーブルを選択する。そして、テーブル出力部は、選択された輝度重みテーブルと、現在使用されている輝度重みテーブルとが違う場合に、まず、１又は２以上の遷移輝度重みテーブルを出力する。更に、テーブル出力部は、上記遷移輝度重みテーブルを出力した後、新たに選択された輝度重みテーブルを、テーブル記憶部から読み出して出力する。従って、画像表示装置は、このテーブル出力部から出力される輝度重みテーブル又は遷移輝度重みテーブルに基づいて各サブフィールドに輝度重みを割り当て、発光を行うことができる。よって、画像表示装置は、発光に使用されている各サブフィールドの輝度重みを、段階的に徐々に遷移させることができる。
【００１６】
また、テーブル出力部は、複数の遷移輝度重みテーブルを、所定数のフレーム毎に順次出力してもよい。かかる構成によれば、テーブル出力部は、輝度重みテーブルが切り替わる際に、所定数のフレーム毎に遷移輝度重みテーブルを順次出力し、複数の遷移輝度重みテーブルを出力した後、新たに選択された輝度重みテーブルを出力する。よって、画像表示装置は、発光に使用される各サブフィールドの輝度重みを、段階的に徐々に遷移させることができる。
【００１７】
また、複数の輝度重みテーブルは、画像信号の低階調表示に対応する低階調表示用輝度重みテーブルと、画像信号の高階調表示に対応する高階調表示用輝度重みテーブルと、を含んでもよい。かかる構成によれば、画像表示装置は、低階調表示用輝度重みテーブルに基づいて各サブフィールドに輝度重みを割り当てることで、低階調表示、低い段階数の階調表示を行うことができ、高階調表示用輝度重みテーブルに基づいて各サブフィールドに輝度重みを割り当てることで、高階調表示、高い段階数の階調表示を行うことができる。
【００１８】
また、画像分析部は、画像信号が動画を表す場合に、低階調表示用輝度重みテーブルを選択し、画像信号が静止画を表す場合に、高階調表示用輝度重みテーブルを選択してもよい。かかる構成によれば、動画を表示する際には、低階調表示を行うことができ、静止画を表示する際には、高階調表示を行うことができる。
【００１９】
また、画像分析部は、画像信号の表す輝度分布に応じて、低階調表示用輝度重みテーブル又は高階調表示用輝度重みテーブルを選択してもよい。かかる構成によれば、画像の輝度分布に応じて、低階調表示と、高階調表示とを切り替えることができる。
【００２０】
また、複数の輝度重みテーブルは、画像信号の低輝度分布に対応する低輝度用輝度重みテーブルと、画像信号の全輝度分布に対応する全輝度用輝度重みテーブルと、を含んでもよい。
【００２１】
また、画像分析部は、画像信号の表す輝度分布に応じて、低輝度用輝度重みテーブル又は全輝度用輝度重みテーブルを選択してもよい。かかる構成によれば、画像分析部は、画像信号の表す輝度分布が低輝度に偏っている場合には、低輝度用輝度重みテーブルを選択し、画像信号の表す輝度分布が広範囲の輝度に渡っている場合には、全輝度分布に対応した全輝度用輝度重みテーブルを選択する。よって、低輝度の分布の多寡に応じて適した輝度重みを割り当てることができるので、高階調表示を行うことができる。
【００２２】
また、遷移輝度重みテーブルは、テーブル記憶部に予め記憶されており、テーブル出力部は、遷移輝度重みテーブルをテーブル記憶部から読み出して、読み出した遷移輝度重みテーブルを出力してもよい。かかる構成によれば、テーブル出力部は、遷移輝度重みテーブルを出力することができる。
【００２３】
また、テーブル出力部は、切り替え前後の輝度重みテーブルの輝度重みに基づいて、遷移輝度重みテーブルを生成し、生成した遷移輝度重みテーブルを出力してもよい。かかる構成によれば、テーブル出力部は、遷移輝度重みテーブルを出力することができる。
【００２４】
また、輝度重みテーブル出力部が出力する遷移輝度重みテーブル又は輝度重みテーブルに基づいて、発光パターンを制御する発光パターン制御回路を更に含んでもよい。かかる構成によれば、発光パターン制御部は、各サブフィールドに割り当てられた遷移輝度重みテーブル又は輝度重みテーブルの輝度重みに応じて、画像信号が表した画像を発行させるための発光パターンを制御することができる。
【００２５】
また、上記課題を解決するために、本発明の別の観点によれば、画像信号の１フレームを輝度重みの異なる複数のサブフィールドで構成し、各サブフィールドを発光又は非発光制御することにより多階調表示をする画像表示方法であって、テーブル記憶部に記憶された、各サブフィールドに割り当てられる輝度重みが定められた複数の輝度重みテーブルの中から、選択された１の輝度重みテーブルを読み出して、読み出した輝度重みテーブルを出力する第１テーブル出力ステップと、画像信号を分析して、複数の輝度重みテーブルの中から、画像信号の特徴に対応した１の輝度重みテーブルを新たに選択する選択ステップと、各サブフィールドに割り当てられる輝度重みが、第１テーブル出力ステップにおいて出力されている輝度重みテーブルの輝度重みから、選択ステップにおいて新たに選択された輝度重みテーブルの輝度重みに段階的に遷移するように定められた１又は２以上の遷移輝度重みテーブルを出力する遷移テーブル出力ステップと、選択ステップにおいて新たに選択された１の輝度重みテーブルを読み出して、読み出した輝度重みテーブルを出力する第２テーブル出力ステップと、を含むことを特徴とする、画像表示方法が提供される。かかる構成によれば、発光に使用されている各サブフィールドの輝度重みを、段階的に徐々に遷移させることができる。
【００２６】
また、遷移テーブル出力ステップは、複数の遷移輝度重みテーブルを、所定数のフレーム毎に順次出力してもよい。
【００２７】
また、複数の輝度重みテーブルは、画像信号の低階調表示に対応する低階調表示用輝度重みテーブルと、画像信号の高階調表示に対応する高階調表示用輝度重みテーブルと、を含んでもよい。
【００２８】
また、選択ステップでは、画像信号が動画を表す場合に、低階調表示用輝度重みテーブルを選択し、画像信号が静止画を表す場合に、高階調表示用輝度重みテーブルを選択してもよい。
【００２９】
また、選択ステップでは、画像信号の表す輝度分布に応じて、低階調表示用輝度重みテーブル又は高階調表示用輝度重みテーブルを選択してもよい。
【００３０】
また、複数の輝度重みテーブルは、画像信号の低輝度分布に対応する低輝度用輝度重みテーブルと、画像信号の全輝度分布に対応する全輝度用輝度重みテーブルと、を含んでもよい。
【００３１】
また、画像分析部は、画像信号の表す輝度分布に応じて、低輝度用輝度重みテーブル又は全輝度用輝度重みテーブルを選択してもよい。
【００３２】
また、遷移テーブル出力ステップは、テーブル記憶部に予め記憶された１又は２以上の遷移輝度重みテーブルを、読み出す読み出しステップと、読み出した輝度重みテーブルを出力する出力ステップと、を含んでもよい。
【００３３】
また、遷移テーブル出力ステップは、第１テーブル出力ステップにおいて出力されている輝度重みテーブルの輝度重みと、選択ステップにおいて新たに選択された輝度重みテーブルの輝度重みと、に基づいて、遷移輝度重みテーブルを生成する生成ステップと、生成した輝度重みテーブルを出力する出力ステップと、を含んでもよい。
【発明の効果】
【００３４】
以上説明したように本発明によれば、フリッカ等の画質の劣化を抑えつつ、画像表示中に各サブフィールドの輝度重みを変更することができる。
【発明を実施するための最良の形態】
【００３５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３６】
（１．画像表示装置の構成）
まず、図１を参照して、本発明の第１の実施形態に係る画像表示装置について説明する。図１は、本発明の第１の実施形態に係る画像表示装置の構成を示す図面である。図１に示すように、本実施形態に係る画像表示装置１００は、テーブル出力回路１１０と、発光パターン制御回路１２０と、プラズマディスプレイ１３０と、を含む。
【００３７】
画像表示装置１００は、画像信号の入力を受けて、画像を表示する装置であって、画像信号の１フレームを輝度重みの異なる複数のサブフィールドで構成し、各サブフィールドを発光又は非発光制御することにより多階調表示を行う装置である。このように複数のサブフィールドの発行の組み合わせによって多階調表示する方法を、サブフィールド法という。また、このような画像表示装置１００は、例えば、プラズマディスプレイ装置であるとして以下では説明するが、本発明はかかる例に限定されるものではない。本発明は、サブフィールド法を使用して多階調表示する全ての画像表示装置に適用しうる。
【００３８】
また、画像表示装置１００は、例えば、１フレームを１０個のサブフィールドに分割し、各サブフィールドを発光又は非発光制御するとして、以下では説明する。しかし、本発明はかかる例に限定されるものではなく、１フレームは、１０個以外の複数のサブフィールドに分割されてもよい。
【００３９】
テーブル出力回路１１０は、画像信号の入力を受け、画像信号を分析し、画像信号の特徴を抽出する。そして、テーブル出力回路１１０は、抽出した画像信号の特徴に最適な輝度重みテーブル（Ｓｕｂ  Ｆｉｅｌｄ  Ｗｅｉｇｈｔ  Ｔａｂｌｅ：ＳＦＷＴ）を発光パターン制御回路１２０に出力する。この際、テーブル出力回路１１０は、新たに出力する輝度重みテーブルと直前に出力した輝度重みテーブルとが違う場合、１又は２以上の遷移輝度重みテーブルを順次に出力した後に、当該新たな輝度重みテーブルを出力する。このテーブル出力回路１１０については、詳しく後述する。
【００４０】
ここで輝度重みテーブルは、各サブフィールドに割り当てられる輝度重みを定めたものである。例えば、１フレームが１０個のサブフィールドＳＦ１〜ＳＦ１０に分割された場合、１つの輝度重みテーブルは、各サブフィールドＳＦ１〜ＳＦ１０に割り当てられる輝度重みＳＦＷ１〜ＳＦＷ１０を一組定める。また、遷移輝度重みテーブルは、輝度重みテーブル同様、各サブフィールドに割り当てられる輝度重みを定めたものであるが、上記の輝度重みテーブルの輝度重みを数フレームの間をかけて少しずつ遷移させるための輝度重みテーブルである。遷移輝度重みテーブルは、例えば、上記の各輝度重みテーブルが有する輝度重みと同じ輝度重み、又は、上記の各輝度重みテーブルが有する輝度重みの間の輝度重みを有する。
【００４１】
発光パターン制御回路１２０は、画像信号と、テーブル出力回路１１０から出力された輝度重みテーブル又は遷移輝度重みテーブルと、の入力を受ける。そして、発光パターン制御回路１２０は、輝度重みテーブル又は遷移輝度重みテーブルによって定められた輝度重みＳＦＷ１〜ＳＦＷ１０に応じて、画像信号の所定の階調を表示するための発光パターン決定し、プラズマディスプレイ１３０に出力する。
【００４２】
プラズマディスプレイ１３０は、表示部の一例であって、発光パターン制御回路１２０から出力される発光パターンに基づいて、画像を表示する。しかし、表示部としては、プラズマディスプレイ１３０は、発光パターンに基づいた駆動パルス等を生成するためのパルス発生部等、及び、駆動パルス等に基づいて発光又は非発光制御される複数の画素を含む画素部（図示せず）等を含むが、このような構成は、一般的なプラズマディスプレイと同じであるため、ここでの詳しい説明は省略する。尚、表示部としては、プラズマディスプレイ１３０を用いたが、サブフィールド法により多階調表示を行う如何なる画像表示部であってもよい。
【００４３】
（２．テーブル出力回路の構成）
次に、図２を参照して、本発明の第１の実施形態に係るテーブル出力回路の構成について説明する。図２は、本発明の第１の実施形態に係るテーブル出力回路の構成を示す図面である。図２に示すように、テーブル出力回路１１０は、テーブル記憶部１１１と、画像分析部１１２と、テーブル出力部１１３と、使用中テーブル保持部１１４と、を含む。
【００４４】
テーブル記憶部１１１は、複数の輝度重みテーブルを有する輝度重みテーブル群１１１ａと、複数の遷移輝度重みテーブルを有する遷移輝度重みテーブル群１１１ｂと、を記憶する。テーブル記憶部１１１は、複数の輝度重みテーブル、又は、複数の遷移輝度重みテーブルを、１つずつ、テーブル出力部に出力する。
【００４５】
画像分析部１１２は、画像信号に含まれる画像信号を分析して画像信号の特徴を抽出する。画像分析部１１２は、抽出した画像信号の特徴に応じて、個々の画像を表示するのに適した輝度重みテーブルを、上記の輝度重みテーブル群１１１ａから選択し、テーブル出力部１１３に出力する。
【００４６】
テーブル出力部１１３は、画像分析部１１２によって新たに選択された輝度重みテーブルと、画像分析部１１２によって過去に選択され、使用中テーブル保持部１１４に保持された使用中の輝度重みテーブルと、の入力を受ける。そして、テーブル出力部１１３は、画像分析部１１２により新たに選択された輝度重みテーブルを、テーブル記憶部１１１から読み出して、発光パターン制御回路１２０に出力する。また、テーブル出力部１１３は、新たに選択された輝度重みテーブルを、使用中テーブル保持部１１４にも出力する。
【００４７】
この際、テーブル出力部１１３は、過去に選択された輝度重みテーブルと、新たに選択された輝度重みテーブルとが同じ場合は、新たに選択された輝度重みテーブルを出力する。しかし、テーブル出力部１１３は、過去に選択された輝度重みテーブルと、新たに選択された輝度重みテーブルとが違う場合には、出力する輝度重みテーブルを切り替える。テーブル出力部１１３は、この切替を行う際に、過去に選択された輝度重みテーブルに定められた輝度重みから、新たに選択された輝度重みテーブルに定められた輝度重みに、段階的に遷移する輝度重みを有する１又は２以上の遷移輝度重みテーブルを、１又は２以上のフレーム毎に順次に出力した後、新たに選択された輝度重みテーブルを出力する。
【００４８】
尚、本実施形態においてテーブル出力部１１３は、過去に選択された輝度重みテーブルと、新たに選択された輝度重みテーブルとが同じ場合には、新たに選択された輝度重みテーブルを出力するとしたが、本発明はこれに限定されない。テーブル出力部１１３は、例えば、過去に選択された輝度重みテーブルと、新たに選択された輝度重みテーブルとが同じ場合は、輝度重みテーブルを出力しなくてもよい。この際、発光パターン制御回路１２０は、新たな輝度重みテーブルの入力を受けない場合、以前に入力された輝度重みテーブルを使用して発光又は非発光制御を継続してもよい。
【００４９】
使用中テーブル保持部１１４は、上述のように、画像分析部１１２によって過去に選択され、現在発光に使用されている輝度重みテーブルを保持し、この輝度重みテーブルをテーブル出力部１１３に出力する。
【００５０】
尚、使用中テーブル保持部１１４には、現在発光に使用されている輝度重みテーブルが保持されるとしたが、遷移輝度重みテーブルが発光に使用されている場合には、当該遷移輝度重みテーブルを保持することも可能である。
【００５１】
また、テーブル出力回路１１０は、現在発光に使用されている輝度重みテーブルを保持する使用中テーブル保持部１１４を含むとしたが、本発明はこれに限定されない。テーブル出力回路１１０は、使用中テーブル保持部１１４を備えず、現在使用されている輝度重みテーブルは、例えば、テーブル出力部１１３に保持されていてもよい。また、現在使用されている輝度重みテーブルは、例えば、発光パターン制御回路１２０に保持され、テーブル出力部１１３に入力されてもよい。
【００５２】
上述のように本実施形態の画像表示装置１００は、輝度重みを切り替える際に、テーブル出力回路１１０から順次に出力される遷移輝度重みテーブルが有する輝度重みによって画像を表示した後、新たな輝度重みテーブルが有する輝度重みによって画像を表示する。よって、画像表示装置１００は、画像を連続表示している途中で輝度重みを切り替えることによる点灯周期（発光パターン）の変化によって発生しうるフリッカ等の表示不良を抑制すると共に、動的、かつ、任意に輝度重みを変更することを可能にしている。本実施形態の画像表示装置１００によれば、従来実現が困難であった、画像によって階調数等を任意に切り替えることが可能となるため、個々の画像に最適な階調表示を実現することができる。
【００５３】
（３．テーブル出力回路の動作の一例）
以下では、図３及び図４を参照し、本発明の第１の実施形態に係るテーブル出力回路１１０の各構成の動作を、具体的に例を挙げて、より詳細に説明する。図３は、本発明の第１の実施形態に係るテーブル出力回路１１０が生成する輝度重みテーブル及び遷移輝度重みテーブルの一例を示す図である。また、図４は、図３に示す輝度重みテーブル及び遷移輝度重みテーブルの一例の輝度重みの変化を表すグラフである。尚、以下では、各サブフィールドを、「ＳＦ１〜ＳＦ１０」とし、各サブフィールドに割り当てられる輝度重み（Ｓｕｂ  Ｆｉｅｌｄ  Ｗｅｉｇｈｔ：ＳＦＷ）を、「ＳＦＷ１〜ＳＦＷ１０」とする。そして、輝度重みテーブル（Ｓｕｂ  Ｆｉｅｌｄ  Ｗｅｉｇｈｔ  Ｔａｂｌｅ：ＳＦＷＴ）を、「ＷＴ」とし、遷移輝度重みテーブルを、「遷移ＷＴ」とする。
【００５４】
テーブル記憶部１１１に記憶される輝度重みテーブル群１１１ａは、１２８段階の低階調を表現するためのＷＴであるＷＴＡと、２５６段階の高階調を表現するためのＷＴであるＷＴＢと、を含む。そして遷移輝度重みテーブル群１１１ｂは、ＷＴＡの輝度重みからＷＴＢの輝度重みへと、数フレームの間をかけて少しずつ段階的に遷移する輝度重みを有する遷移ＷＴである遷移ＷＴＡＢ１〜遷移ＷＴＡＢ５を含む。ここで、ＷＴＡは、画像信号の低階調表示に対応した低階調表示用輝度重みテーブルの一例であり、ＷＴＢは、画像信号の高階調表示に対応した高階調表示用輝度重みテーブルの一例である。尚、高階調表示用輝度重みテーブルは、５１２段階の高階調を表示するための輝度重みテーブルであってもよく、他の段階数の階調を表示するための輝度重みテーブルであってもよい。そして、低階調表示用輝度重みテーブルは、２５６段階の低階調を表示するための輝度重みテーブルであってもよく、他の段階数の階調を表示するための輝度重みテーブルであってもよい。
【００５５】
尚、本実施形態では、テーブル記憶部１１１に記憶される輝度重みテーブル群１１１ａは、ＷＴＡ及びＷＴＢを含むとしたが、本発明はかかる例に限定されるものではない。輝度重みテーブル群１１１ａは、ＷＴＡ及びＷＴＢ以外のＷＴを含んでもよい。例えば、輝度重みテーブル群１１１ａは、更に、５１２段階の高階調を表現するための輝度重みテーブルであるＷＴＣ等を含んでもよい。この場合、遷移輝度重みテーブル群１１１ｂは、更に、ＷＴＡが有する輝度重みからＷＴＣが有する輝度重みへと段階的に遷移する輝度重みを定めた複数の遷移ＷＴＡＣと、ＷＴＢが有する輝度重みからＷＴＣが有する輝度重みへと段階的に遷移する輝度重みを定めた複数の遷移ＷＴＢＣと、を含んでもよい。このように、輝度重みテーブル群１１１ａが含むＷＴは、画像表示装置の性能等によって、適宜変更可能であり、ＷＴＡ及びＷＴＢである必要はない。
【００５６】
図３に示すように、ＷＴＡは、例えば、各ＳＦ１〜ＳＦ１０に割り当てられるＳＦＷ１〜ＳＦＷ１０として（２、４、８、１２、１８、２６、３４、４２、５０、５９）を有し、ＷＴＢは、例えば、ＳＦＷ１〜ＳＦＷ１０として（１、２、４、８、１５、２５、３５、４５、５５、６５）を有する。ＷＴＡは、このようなＳＦＷ１〜ＳＦＷ１０を有することにより、発光させるＳＦ１〜ＳＦ１０の組み合わせにより（０、２、４、…、２５３、２５５）までの１２８段階の階調を表示することができる。ＷＴＢは、このようなＳＦＷ１〜ＳＦＷ１０を有することにより、発光させるサブフィールドＳＦ１〜ＳＦ１０の組み合わせにより（０、１、２、…、２５４、２５５）までの２５６段階の階調を表示することができる。
【００５７】
ＷＴＡは、サブフィールドの個数（１０個）に対する階調数（１２８段階）を減らすことにより、各サブフィールドＳＦ１〜ＳＦ１０に割り当てられる輝度重みＳＦＷ１〜ＳＦＷ１０相互の差を小さくすることができる。よって、ＷＴＡは、同じ階調の動画を表示する際に、動画のノイズ感を減らすことができる。
【００５８】
ＷＴＢは、サブフィールドの個数（１０個）に対する階調数（２５６段階）を増やすことにより、静止画を表示する際に、低階調数での表示に比べて、より解像度の高い静止画を表示できるため、画質を向上させることができる。
【００５９】
遷移ＷＴＡＢ１〜遷移ＷＴＡＢ５は、ＷＴＡの各輝度重みからＷＴＢの各輝度重みに段階的に遷移する輝度重みを有する。図３に示すように、遷移ＷＴＡＢ１は、例えば、ＳＦＷ１〜ＳＦＷ１０として（２、４、８、１１、１８、２６、３４、４２、５０、６０）を有する。遷移ＷＴＡＢ２は、例えば、ＳＦＷ１〜ＳＦＷ１０として（２、３、７、１１、１７、２６、３４、４３、５１、６１）を有する。遷移ＷＴＡＢ３は、例えば、ＳＦＷ１〜ＳＦＷ１０として（１、３、６、１０、１７、２６、３５、４３、５２、６２）を有する。遷移ＷＴＡＢ４は、例えば、ＳＦＷ１〜ＳＦＷ１０として（１、３、６、９、１６、２５、３５、４４、５３、６３）を有する。遷移ＷＴＡＢ５は、例えば、ＳＦＷ１〜ＳＦＷ１０として（１、２、５、８、１６、２５、３５、４５、５４、６４）を有する。
【００６０】
この遷移ＷＴの各輝度重みは、ＷＴＡからＷＴＢへ、及び、ＷＴＢからＷＴＡへと、段階的に遷移するように設定される。例えば、遷移ＷＴの各輝度重みは、ＷＴＡの輝度重み以下で、かつ、ＷＴＢの輝度重み以上の値となるように設定される。本実施形態において、遷移ＷＴの各輝度重みは、例えば、ＷＴＡから遷移ＷＴＡＢ１へ、遷移ＷＴＡＢ１から遷移ＷＴＡＢ２へ、遷移ＷＴＡＢ２から遷移ＷＴＡＢ３へ、遷移ＷＴＡＢ３から遷移ＷＴＡＢ４へ、遷移ＷＴＡＢ４から遷移ＷＴＡＢ５へ、遷移ＷＴＡＢ５からＷＴＢへと、変化しないか、１ずつ減少するように設定される。しかし、本発明はこれに限定されるものではなく、遷移ＷＴの各輝度重みは、変化しないか、２以上ずつ減少するように設定されてもよい。
【００６１】
そして、遷移ＷＴの各輝度重みは、輝度重みの総和が一定の値となるように設定される。本実施形態において、遷移ＷＴの輝度重みの総和は、例えば、２５５に設定される。この遷移ＷＴの輝度重みの総和は、例えば、ＷＴＡの各輝度重みの総和及びＷＴＢの各輝度重みの総和と等しく設定される。従って、遷移ＷＴの輝度重みの総和は、２５５に限らず、ＷＴの輝度重みの総和に応じて如何なる値をとってもよい。
【００６２】
本実施形態によれば、遷移ＷＴのそれぞれが上記のような輝度重みＳＦＷ１〜１０を有することにより、後述するように、発光パターンを急激に変更することなく発光させられるため、フリッカ等の画質の劣化を抑えつつ、段階的に輝度重みを変更することができる。
【００６３】
画像分析部１１２は、画像信号の入力を受け、この画像信号を分析し、画像信号の特徴を抽出する。本実施形態において、この画像信号の特徴は、例えば、表示する画像が動画又は静止画であるという性質であるとして、以下では説明する。画像分析部１１２は、例えば、各フレーム間の輝度の差分に基づいて、表示する画像が動画であるか静止画であるかを分析してもよい。また、これに限らず、画像が動画であるか静止画であるかの情報は、予め画像信号に含まれており、画像分析部１１２が当該情報に基づいて、表示する画像が動画であるか静止画であるかを判断してもよい。
【００６４】
画像分析部１１２は、画像信号の特徴に対応して、画像を表示するのに適したの輝度重みテーブルＷＴを、テーブル記憶部１１１に記憶される輝度重みテーブル群１１１ａの中から１つ選択する（選択ステップ）。本実施形態において、画像分析部１１２は、例えば、表示する画像が動画であれば、ＷＴＡを選択し、表示する画像が静止画であれば、ＷＴＢを選択する。そして、画像分析部１１２は、この選択したＷＴをテーブル出力部１１３へ出力する。
【００６５】
以下では、画像分析部１１２は、例えば、過去に画像を分析した結果、画像は動画であるとし、ＷＴＡを選択したものとして説明する。上記選択によって、テーブル出力部１１３は、選択されたＷＴＡを発光パターン制御回路１２０、及び、使用中テーブル保持部１１４へ出力する（第１テーブル出力ステップ）。そして、使用中テーブル保持部１１４は、ＷＴＡの入力を受けて、ＷＴＡを、過去に選択され現在発光に使用されている輝度重みテーブルとして保持する。よって、使用中テーブル保持部１１４は、現在使用している輝度重みテーブルとしてＷＴＡをテーブル出力部１１３へ出力するとして、以下では説明する。但し、例えば、上記において画像分析部１１２が過去にＷＴＡ以外の輝度重みテーブルを選択した場合は、使用中テーブル保持部１１４は、当該ＷＴＡ以外の輝度重みテーブルを、現在使用している輝度重みテーブルとして保持し、テーブル出力部１１３へ出力する。
【００６６】
テーブル出力部１１３は、使用中テーブル保持部１１４に保持された使用中の輝度重みテーブルとしてＷＴＡの入力を受け、画像分析部１１２によって新たに選択されたＷＴの入力を受ける。テーブル出力部１１３は、画像分析部１１２の選択がＷＴＡである場合、現在使用中の輝度重みテーブルであるＷＴＡと同じであるため、ＷＴＡを発光パターン制御回路１２０に出力する。しかし、テーブル出力部１１３は、画像分析部１１２の選択がＷＴＡ以外、例えば、ここではＷＴＢである場合に以下のような動作をする。
【００６７】
テーブル出力部１１３は、ＷＴＢの入力を受けた場合、遷移輝度重みテーブル群１１１ｂに含まれた遷移ＷＴから、ＷＴＡからＷＴＢへと段階的に遷移するための遷移ＷＴである遷移ＷＴＡＢ１〜遷移ＷＴＡＢ５を順次選択して読み出し（読み出しステップ）、これを出力する（出力ステップ、遷移テーブル出力ステップ）。つまり、テーブル出力部１１３は、遷移ＷＴＡＢ１、遷移ＷＴＡＢ２、遷移ＷＴＡＢ３、遷移ＷＴＡＢ４、及び遷移ＷＴＡＢ５を順次に出力する。そして、テーブル出力部１１３は、輝度重みテーブル群１１１ａからＷＴＢを読み出して出力する（第２テーブル出力ステップ）。この際、テーブル出力部１１３は、各遷移ＷＴＡＢ又はＷＴを１フレーム毎に出力する。本実施形態におけるテーブル出力部１１３は、１フレーム毎に違った遷移ＷＴＡＢ又はＷＴを出力することで、５フレーム後には、出力するＷＴをＷＴＡからＷＴＢへと遷移させることができ、ＷＴＡからＷＴＢへと短期間で遷移させることができる。
【００６８】
しかし、本発明はかかる例に限定されるものではなく、テーブル出力部１１３は、複数フレーム毎に違った遷移ＷＴ又はＷＴを出力してもよい。また、テーブル出力部１１３は、本実施形態では、５つの遷移ＷＴ（遷移ＷＴＡＢ１〜遷移ＷＴＡＢ５）を順次選択・出力したが、遷移ＷＴを１つ以上選択・出力すればよく、５つ以上又は５つ以下の遷移ＷＴＡＢを順次に選択・出力してもよい。尚、この遷移ＷＴの数は、発光パターンの急激な変化を防ぎ、使用者の視覚に観測されるフリッカ等を抑制しうるように適宜設定される。次の遷移ＷＴ又はＷＴを出力するまでのフレーム数（遷移時間）、及び、出力する遷移ＷＴの個数は、画像信号の特徴や、プラズマディスプレイ１３０の性能等に応じて適宜変更可能である。
【００６９】
また、テーブル出力部１１３は、上述のように、ＷＴＢの入力を受けた場合、遷移ＷＴＡＢ１〜遷移ＷＴＡＢ５を順次出力するとしたが、この遷移ＷＴＡＢを順次に出力している最中に、再度、ＷＴＡの入力を受けた場合、テーブル出力部は、それまでに出力した遷移ＷＴＡＢを順次、逆の順番で出力した後、再度、ＷＴＡを出力してもよい。例えば、テーブル出力部１１３が遷移ＷＴＡＢ３を出力した後に再度画像分析部１１２からＷＴＡの入力を受けた場合、テーブル出力部１１３は、遷移ＷＴＡＢ３、遷移ＷＴＡＢ２、遷移ＷＴＡＢ１を順次出力した後、再度、ＷＴＡを出力してもよい。
【００７０】
以上説明したように、テーブル出力部１１３は、１フレーム毎に遷移ＷＴを出力することで、ＷＴを動画に適したＷＴＡから静止画に適したＷＴＢへと段階的に遷移させることができる（図４参照。）。
【００７１】
尚、上記では、画像分析部１１２は、過去にＷＴＡを選択したとして説明したが、画像分析部１１２は過去にＷＴＢを選択し、新たにＷＴＡを選択してもよい。この場合、テーブル出力部１１３は、上記の出力とは逆に、１フレーム毎に遷移ＷＴＡＢ５、遷移ＷＴＡＢ４、遷移ＷＴＡＢ３、遷移ＷＴＡＢ２、及び、遷移ＷＴＡＢ１を順次に出力した後、ＷＴＡを出力する。よって、テーブル出力部１１３は、１フレーム毎に遷移ＷＴを出力することで、ＷＴを静止画に適したＷＴＢから動画に適したＷＴＡへと段階的に遷移させることができる（図４参照。）。
【００７２】
（４．輝度１００を表示した際に観測される輝度の変化）
次に、図５及び図６を参照して、１つの画素に輝度１００（発行させたサブフィールドの輝度重みの総和が１００となる輝度）を表示させている間に、ＷＴを変化させた場合に、使用者の視覚に観測される輝度の変化、すなわち、フリッカが起こる原理について説明する。図５は、輝度１００を表示している際にウェイトテーブルを変更することで階調数を１２８階調から２５６階調へと変更した場合に、使用者の視覚に観測される輝度の変化を示すグラフである。図６は、輝度１００を表示している際にウェイトテーブルを変更することで階調数を２５６階調から１２８階調へと変更した場合に、使用者の視覚に観測される輝度の変化を示すグラフである。
【００７３】
図５及び図６の（ａ）及び（ｂ）は、横軸に時間軸をとり、第ｎ−２フレーム、第ｎ−１フレーム、第ｎフレーム、第ｎ＋１フレーム、及び第ｎ＋２フレームを順次発光させたものである。また、横軸には各フレームにおける発光パターンを模式的に示している。そして、縦軸は、使用者の視覚に観測される輝度の値を示す。
【００７４】
（４−１．１２８階調から２５６階調への変更）
図５の（ａ）は、１２８階調を表示するためのＷＴＡを基に、各サブフィールドの輝度重みが割り当てられた場合の輝度の変化を示す。図５の（ｂ）は、第ｎフレームにおいて、ＷＴＡからＷＴＢへと急激に変更させた場合の輝度の変化を示す。
【００７５】
尚、ＷＴＡを使用する場合、（ＳＦ１、ＳＦ３、ＳＦ４、ＳＦ５、ＳＦ６、ＳＦ７）が発光され、輝度重みの総和が１００となることで、輝度１００が発光される（図５の（ａ）中の第ｎ−２フレームの発光パターン参照。）。また、ＷＴＢを使用する場合、（ＳＦ１、ＳＦ２、ＳＦ３、ＳＦ４、ＳＦ５、ＳＦ６、ＳＦ８）が発光され、輝度重みの総和が１００となることで、輝度１００が発光される（図５の（ｂ）中の第ｎフレームの発光パターン参照。）。このような輝度１００を発光させるための各発光パターンは、上述のように発光パターン制御回路１２０によって決定される。
【００７６】
図５の（ａ）に示すように、第ｎ−２フレーム〜第ｎ＋２フレームまで常にＷＴＡを使用した場合、観測される輝度は略一定であり、フリッカ等の画質の劣化を招くことなく輝度１００の画像を提供することができる。しかし、図５の（ｂ）に示すように、第ｎフレームにおいて、ＷＴＡからＷＴＢへと急激に変更させた場合、各サブフィールドの点灯周期、即ち、発光パターンは急激に変化する。この発光パターンと視覚が有する積分特性によって、観測される輝度は、第ｎフレームから第ｎ＋１フレームにおいて大きく変化する。この輝度の変化が、フリッカとして使用者の視覚に観測され、画質の劣化を招くこととなる。
【００７７】
（４−２．２５６階調から１２８階調への変更）
また、図６の（ａ）は、２５６階調を表示するためのＷＴＢを基に、各サブフィールドの輝度重みが割り当てられた場合の輝度の変化を示す。図６の（ｂ）は、第ｎフレームにおいて、ＷＴＢからＷＴＡへと急激に変更させた場合の輝度の変化を示す。
【００７８】
図６の（ａ）に示すように、第ｎ−２フレーム〜第ｎ＋２フレームまで常にＷＴＢを使用した場合、観測される輝度は略一定であり、フリッカ等の画質の劣化を招くことなく輝度１００の画像を提供することができる。しかし、図６の（ｂ）に示すように、第ｎフレームにおいて、ＷＴＢからＷＴＡへと急激に変更させた場合、各サブフィールドの点灯周期、即ち、発光パターンは急激に変化する。この発光パターンと視覚が有する積分特性によって、観測される輝度は、第ｎフレームから第ｎ＋１フレームにおいて大きく変化する。この輝度の変化が、フリッカとして使用者の視覚に観測され、画質の劣化を招くこととなる。
【００７９】
（４−３．本実施形態による輝度の変化）
上述のように、一定の輝度を表示している際にＷＴを急激に変更した場合、使用者の視覚によって観測される輝度は大きく変化し、この輝度の変化がフリッカとして観測される。この輝度の変化は、ＷＴを急激に変更した場合（例えば、ＷＴＡからＷＴＢの場合）、どの階調を表示する発光パターンも大きく変更されるため、各々違った階調を表示している全ての画素で発生しうる。よって、この輝度の変化は、画面の広範囲にわたって同時に発生し、フリッカの原因となる。
【００８０】
しかし、本実施形態に係る画像表示装置１００によれば、上述のように、ＷＴを急激に変化させること無く、順次遷移ＷＴを出力した後、ＷＴの切替を行う。よって、ＳＦＷが変化したＳＦを発光させる階調を表示しいる画素では、発光パターンの変化が起こりうるが、当該ＳＦを発光させない階調を表示している画素では、発光パターンを変化させずに済む。よって、上記のような使用者の視覚に観測される輝度の変化が画面の広範囲にわたって同時に発生する確率を減らすことができ、この輝度の変化の発生を、遷移中の各フレーム（遷移ＷＴを使用している発光しているフレーム）に分散することができる。
【００８１】
つまり、本実施形態に係る画像表示装置１００によれば、各ＳＦのＳＦＷを数フレームかけて少しずつ切り替えることにより、この輝度の変化が画面の広範囲にわたって同時に起こる確率を減らすことができるため、フリッカ等が発生する確率を低く抑えることができる。
【００８２】
（５．テーブル出力回路の動作の一例による効果）
以上、テーブル出力回路１１０の動作の一例を挙げて、各構成の動作について詳しく説明した。そして、本実施形態に係る画像表示装置１００が、実際に発光して輝度１００を表示した際に、使用者の視覚に観測される輝度について説明した。
【００８３】
上述のように、本発明の第１の実施形態に係る画像表示装置１００によれば、発光に使用する各サブフィールドＳＦ１〜ＳＦ１０の輝度重みＳＦＷ１〜ＳＦＷ１０を、急激に変更することなく、画像信号の特徴に対応して変更することができる。すなわち、本実施形態において画像表示装置１００は、例えば、１２８段階の階調表示から２５６段階の階調表示へ、又は、２５６段階の階調表示から１２８段階の階調表示へ、と段階的に変更することができる。
【００８４】
従来の画像表示装置のように、例えば、１フレームで１２８段階の階調表示をするための輝度重みから２５６段階の階調表示をするための輝度重みへと急激に変更すれば、つまり、１フレームでＷＴＡからＷＴＢへと変更すれば、図４に示しように、各サブフィールドＳＦ１〜ＳＦ１０の有する輝度重みＳＦＷ１〜１０の全てが同時に変更され、かつ、各輝度重みＳＦＷ１〜１０は、最大で７階調変化される。よって、どの階調を表現する際にも画面の全体で発光パターン（点灯周期）が急激に変化して、積分特性によって使用者の視覚に観測される輝度がチラついて見えるというフリッカ等の画質の劣化を招いていた（図５及び図６の（ｂ）参照。）。
【００８５】
しかし、本実施形態によれば、図４に示すように、各サブフィールドＳＦ１〜ＳＦ１０の有する輝度重みＳＦＷ１〜ＳＦＷ１０の全てが変更されずに済み、各輝度重みＳＦＷ１〜１０は、各フレーム間では最大でも１階調しか変化しない。よって、発光パターンは、急激に変更されずに済むため、各フレームに対する、発光パターンの変更によるフリッカ等が発生する確率を低くすることができる。よって、画像表示装置１００は、上述のようなフリッカ等の画質の劣化を抑えつつ、輝度重みを変更することができる（図５及び図６の（ｃ）参照。）。但し、本実施形態では、輝度重みＳＦＷ１〜ＳＦＷ１０は、各フレーム間では最大でも１階調しか変化しないとしたが、例えば、２階調以上ずつ変化してもよい。この輝度重みの各フレーム間の変化量は、フリッカ等が発生し難いように適宜設定されてもよい。
【００８６】
また、本実施形態によれば、連続的な画像の表示を一端中断又は停止することなく、画像信号の特徴に対応して輝度重みＳＦＷ１〜ＳＦＷ１０を変更させることができる。よって、本実施形態によれば、画像を連続表示させつつ、画質を向上させることができる。
【００８７】
即ち、本実施形態において、輝度重みＳＦＷ１〜ＳＦＷ１０は、例えば、画像が動画である場合には、１２８段階の階調を表示するための輝度重みテーブルＷＴＡによって割り当てられるため、動画擬似輪郭の発生を低減することができ、かつ、動画のノイズ感を減らすことができる。また、輝度重みＳＦＷ１〜ＳＦＷ１０は、例えば、画像が静止画である場合には、２５６段階の階調を表示するための輝度重みテーブルＷＴＢによって割り当てられため、解像度の高い静止画を表示でき、画質を向上させることができる。
【００８８】
（６．テーブル出力回路の動作の他の例）
次に、以下では、図７〜図１６を参照し、本発明の第１の実施形態に係るテーブル出力回路１１０の各構成の動作を、他の具体例を挙げて、より詳細に説明する。尚、以下では、上述の本実施形態に係るテーブル出力回路１１０の動作の一例との相違点を中心に説明し、同じ動作についての説明は省略する。
【００８９】
上述のように、非発光サブフィールド（発光しないサブフィールド、以下、非発光ＳＦという。）の少ない発行パターンだけを階調表示に使用することで、動画擬似輪郭の低減性能を向上することができ、更に、ディザ法等の様々な画像処理法を使用することで、非発光ＳＦの位置を分散して、動画擬似輪郭の低減性能を向上することもできる。以下では、所定の画像処理法を用いて、非発光ＳＦの少ない発光パターンだけを階調表示に使用した場合を例にとり、本実施形態について説明する。
【００９０】
本例において、発光パターン制御回路１２０は、テーブル出力回路１１０から出力されたＷＴ又は遷移ＷＴを使用して発光パターンを制御する際に、非発光ＳＦの少ない発光パターンだけを使用して階調を表現する画像処理を行う。よって、テーブル出力回路１１０の動作の他の例を具体的に説明する前に、まず、この画像処理法及び画像処理法による発光パターンについて説明する。
【００９１】
（６−１．画像処理法及び画像処理法による発光パターンの例）
図７は、ＷＴＢによる非発光ＳＦの少ない発光パターンの一例を示す図面であり、図８は、ＷＴＡによる非発光ＳＦの少ない発光パターンの一例を示す図面である。
【００９２】
図７及び図８において、発光パターン制御回路１２０は、発光しているＳＦの間における非発光ＳＦの個数が１つ以下となる発光パターンだけを使用する画像処理を行う。この画像処理法によれば、例えば、図７の輝度４４を発光するための発光パターンにおいては（ＳＦ１〜ＳＦ５）の連続する５つのＳＦが発光されるのに対して、図７の輝度４０を発光するための発光パターンにおいては（ＳＦ１〜ＳＦ５）の連続する５つのＳＦのうち、ＳＦ２の１つだけが非発光となる。
【００９３】
このように発光パターンを限定することにより、表示できる階調数は減少するが、非発光ＳＦの個数を減らすことができるため、動画擬似輪郭の発生を低減することができる。しかし、本発明はかかる例に限定されるものではなく、例えば、発光パターン制御回路１２０は、発光しているＳＦの間における非発光ＳＦの個数が２つ以下となるように、発光パターンを決定してもよい。この場合、表示できる階調数は増加する。
【００９４】
また、図７及び図８に示す発光パターンの一例においてＷＴＢを使用した場合、発光される輝度は、（０、２、４、６…２５３、２５５）の合計５６段階となる。また、ＷＴＡを使用した場合、発光される輝度は、（０、１、２、３…２５４、２５５）の合計５６段階となる。この発光パターンの一例によって発光される輝度をここでは、基本階調といい、発光される輝度の段階数をここでは、基本階調数という。また、実際に表示する際にはディザ法等の画像処理法を更に用いて表示を行うので、上記の基本階調以外にも中間階調の表示が可能となる。尚、図７及び図８と、後述の図１３において、各欄の「１」は、対応するＳＦの発光を表し、「０」は、対応するＳＦの非発光を表す。また、右端の数値は、当該発光パターンにおける輝度を表し、各ＳＦの直下の数値は、各ＳＦのＳＦＷを表す。
【００９５】
次に、図９及び図１０を参照して、本画像処理による発光パターンの一例によって発行される輝度（基本階調）について説明する。図９は、ＷＴＢ（２５６階調）による輝度の分布の一例を表したグラフである。また、図１０は、ＷＴＡ（１２８階調）による輝度の分布の一例を表したグラフである。
【００９６】
図９に示すように、ＷＴＢによる輝度の分布には、粗密が発生している。例えば、輝度１２８付近において輝度の分布は、密集している。よって、輝度１２８付近においては、細かい階調表現（高い階調表示）が可能である。また、低輝度（輝度０近傍）においても、同様に細かい階調表現が可能である。しかし、例えば、輝度１６０付近において輝度の分布は、離散的である。例えば、輝度１６０の付近における輝度の間隔ｄＢは大きく、この間の輝度は、本発光パターンの一例においては表示できないこととなる。以下では、この輝度の分布の偏り（粗密）を、偏在性という。
【００９７】
一方、図１０に示すように、ＷＴＡによる輝度の分布は、ＷＴＢによる輝度の分布に比べて、偏在性が低減されている。例えば、輝度１６０の付近における輝度の間隔ｄＡは、間隔ｄＢよりも小さい。
【００９８】
よって、本発光パターンの一例においては、ＷＴＢによって発光を行った方が、ＷＴＡによって発光を行った場合よりも、低輝度（暗部）において高い階調表示が可能である。一方、ＷＴＡによって発光を行った方が、ＷＴＢによって発光を行った場合よりも、広範囲の階調表示に渡って高い階調表示が可能となる。
【００９９】
また、上述の通り、実際には、各輝度間の中間階調をディザ法等の画像処理法を使用して、基本階調数（５６階調）よりも高い階調表示を行うが、各輝度の間隔（ｄＡ、ｄＢ等）が大きければ、例え、各輝度間の中間階調をディザ法等を用いて生成したとしても、ノイズ感が残る。このノイズをディザノイズという。
【０１００】
よって、このようなディザノイズの発生を防止すべく、輝度の分布を均一にし輝度の偏在性を低減するようにＳＦＷを定める必要がある。即ち、非発光ＳＦの数を減らす等のために画像処理等を行った場合、その画像処理法に対して最適な（偏在性を低減することができる）ＳＦＷを定める必要がある。
【０１０１】
（６−２．偏在性を低減した輝度重みを有するＷＴの一例）
次に、図１１〜図１４を参照して、上記の画像処理法による発光パターンの一例に適した、偏在性を低減した輝度重みを有する輝度重みテーブルＷＴＡ’について説明する。図１１は、偏在性を低減した輝度重みを有する輝度重みテーブルＷＴＡ’の一例を示す図である。図１２は、ＷＴＡ、ＷＴＢ及びＷＴＡ’が有する各サブフィールドＳＦの輝度重みＳＦＷを示すグラフである。図１３は、ＷＴＡ’による非発光サブフィールドの少ない発光パターンの一例を示す図面である。図１４は、ＷＴＡ’（偏在性を低減した略１２８階調）による輝度の分布の一例を表したグラフである。
【０１０２】
図１１に示すように、ＷＴＡ’は、例えば、各ＳＦ１〜ＳＦ１０に割り当てれれるＳＦＷ１〜ＳＦＷ１０として（２、５、１０、１６、２２、２８、３４、４０、４６、５２）を有する。ＷＴＡ’は、ＳＦ１のＳＦＷが上記ＷＴＡと同じく「２」である。よって、ＷＴＡ’は、偏在性を低減した略１２８階調用（ＷＴＡと略同一階調表示用）の輝度重みテーブルとする。また、図１２に示すように、ＷＴＡ’は、ＷＴＡ及びＷＴＢに比べて、隣接するＳＦ間におけるＳＦＷの変化が少なくなるように、ＳＦＷを定める。また、ＷＴＡ’は、ＳＦＷの小さいＳＦ１及びＳＦ２以外のＳＦ３〜ＳＦ１０において略直線状にＳＦＷが変化するように、輝度重みを定める。
【０１０３】
また、図１３に示すように、上記の発光パターンの一例においては、ＷＴＡ’を使用した場合、発光される輝度は、（０、２、５、７…２５３、２５５）の合計５６段階となる。これは、上記の発光パターンの一例におけるＷＴＡ及びＷＴＢによる基本階調数と同じである。また、図１４に示すように、輝度１６０の付近における輝度の間隔ｄＣは、ＷＴＡの間隔ｄＡよりも更に小さくなっている。よって、ＷＴＡ’による輝度の分布によれば、図１０に示したＷＴＡによる輝度の分布よりも更に偏在性が低減され、輝度０から輝度２５６に渡って比較的均一に輝度が分布している。よって、上記の発光パターンの一例を生成する画像処理法に適したＷＴＡ’によれば、輝度の偏在性を低減することができるので、上記のディザノイズの発生を低減することができる。
【０１０４】
尚、本発光パターンの一例によれば、ＷＴＡによって発光を行った方が、ＷＴＡ’によって発光を行った場合よりも、画像信号の輝度分布の低輝度（暗部）において高い階調表示が可能である。また、画像信号の輝度分布において低輝度が多くなく、高輝度から低輝度までの輝度が満遍なく含まれる場合、上記の全輝度分布に対応し高階調表示が可能なＷＴＡ’を使用して発光を行った方が、より鮮明な画像を表示することができる。よって、ＷＴＡは、低輝度分布に対応する低輝度用輝度重みテーブルの一例であり、ＷＴＡ’は、全ての輝度分布に対応する全輝度用輝度重みテーブルの一例である。
【０１０５】
本実施形態によれば、非発光ＳＦの数を減らし動画擬似輪郭の発生を低減するために、所定の画像処理を行い、この画像処理によって発光パターンが変更される場合、上記の輝度の偏在性を低減するように輝度重みを定めた輝度重みテーブル（ＷＴＡ’）を使用する。よって、所定の画像処理を行った際に、この画像処理に適した輝度重みを各ＳＦに割り当てることができるため、画像処理によるノイズ（ディザノイズ等）を低減することができる。しかし、本発明はかかる例に限定されるものではなく、上記の例以外の画像処理を行う場合、この画像処理に適した輝度重みを定めたＷＴを適宜、設定し使用することができる。
【０１０６】
（６−３．テーブル出力回路の動作）
以上、テーブル出力回路１１０の動作の他の例を説明する前に、画像処理法及びＷＴＡ’について詳しく説明した。以下では、テーブル出力回路１１０の動作の他の例について具体的に説明する。
【０１０７】
テーブル記憶部１１１に記憶される輝度重みテーブル群１１１ａは、ＷＴＡ及びＷＴＢに加え、更に、上記のＷＴＡ’を含む。そして、遷移輝度重みテーブル群１１１ｂは、上記の遷移ＷＴＡＢ１〜遷移ＷＴＡＢ５に加え、ＷＴＡの輝度重みからＷＴＡ’の輝度重みへと、数フレームの間をかけて少しずつ段階的に遷移する輝度重みを有する遷移ＷＴである遷移ＷＴＡＡ’１〜遷移ＷＴＡＡ’６を含む。
【０１０８】
遷移ＷＴＡＡ’１〜遷移ＷＴＡＡ’６は、ＷＴＡの各輝度重みからＷＴＡ’の各輝度重みに段階的に遷移する輝度重みを有する。図１５に示すように、遷移ＷＴＡＡ’１は、例えば、ＳＦＷ１〜ＳＦＷ１０として（２、４、８、１３、１８、２６、３４、４２、５０、５８）を有する。遷移ＴＡＡ’２は、例えば、ＳＦＷ１〜ＳＦＷ１０として（２、４、８、１３、１９、２７、３４、４２、４９、５７）を有する。遷移ＴＡＡ’３は、例えば、ＳＦＷ１〜ＳＦＷ１０として（２、４、９、１４、２０、２７、３４、４１、４８、５６）を有する。遷移ＴＡＡ’４は、例えば、ＳＦＷ１〜ＳＦＷ１０として（２、５、９、１４、２０、２７、３４、４１、４８、５５）を有する。遷移ＴＡＡ’５は、例えば、ＳＦＷ１〜ＳＦＷ１０として（２、５、１０、１５、２１、２７、３４、４０、４７、５４）を有する。遷移ＴＡＡ’６は、例えば、ＳＦＷ１〜ＳＦＷ１０として（２、５、１０、１５、２２、２８、３４、４０、４６、５３）を有する。
【０１０９】
この遷移ＷＴＡＡ’１〜遷移ＷＴＡＡ’６は、ＳＦＡの輝度重みからＳＦＡ’の輝度重みに段階的に遷移するように、遷移ＷＴＡＢ１〜遷移ＷＴＡＢ５と同様に設定される。よって、ここでの詳細な説明は省略する。
【０１１０】
画像分析部１１２は、画像信号の入力を受け、この画像信号を分析し、画像信号の特徴を抽出する。この画像信号の特徴は、例えば、上記テーブル出力回路１１０の一例における表示する画像が動画又は静止画であるという性質に加え、画像信号の表す画像における輝度分布であるとして、以下では説明する。
【０１１１】
ここで、この輝度分布は、例えば、表示する画像における暗部の面積の大小であるとする。ここで、暗部の面積とは、表示画面の全画素に対する暗部（輝度が所定の値より小さい画素）の割合であるとし、暗部の面積が大きいとは、暗部の占める割合が所定の閾値以上である場合をいい、暗部の面積が小さいとは、暗部の占める割合がこの閾値より小さい場合をいうとする。
【０１１２】
即ち、以下では、画像分析部１１２は、画像信号を分析して、例えば、画像信号の特徴である動画であるか静止画であるかの性質（以下、動静情報という。）と、暗部の面積の大小という性質（以下、暗部情報という。）とを抽出する。
【０１１３】
画像分析部１１２は、画像信号の特徴に対応して、画像を表示するのに適したＷＴを、テーブル記憶部１１１に記憶される輝度重みテーブル群１１１ａの中から１つ選択する（選択ステップ）。ここでは、画像分析部１１２は、例えば、表示する画像が動画であれば、ＷＴＡを選択し、表示する画像が静止画であれば、ＷＴＢを選択する。また、画像分析部１１２は、例えば、動画であり暗部情報において暗部の面積が小さい場合、ＷＴＡ’を選択する。そして、画像分析部１１２は、この選択したＷＴをテーブル出力部１１３へ出力する。しかし、この画像信号の特徴に対するＷＴの選択は、かかる例に限定されるものではなく、画像信号の特徴に適したＷＴであればどのようなＷＴが選択されてもよい。
【０１１４】
以下では、画像分析部１１２は、例えば、過去に画像を分析した結果、画像は動画であるとしＷＴＡを選択した場合と、画像は静止画であるとしＷＴＢを選択した場合とについて説明する。上記のテーブル出力回路１１０の動作の一例と同様に、過去にＷＴＡを選択した場合、テーブル出力部１１３は、ＷＴＡを発光パターン制御回路１２０及び使用中テーブル保持部１１４に出力し、使用中テーブル保持部１１４は、ＷＴＡを保持し、発光パターン制御回路１２０は、ＷＴＡに定められた輝度重みを各ＳＦに割り当て発光を行っているものとする。また、過去にＷＴＢを選択した場合、テーブル出力部１１３は、ＷＴＢを発光パターン制御回路１２０及び使用中テーブル保持部１１４に出力し、使用中テーブル保持部１１４は、ＷＴＢを保持し、発光パターン制御回路１２０は、ＷＴＢに定められた輝度重みを各ＳＦに割り当て発光を行っているものとする。
【０１１５】
テーブル出力部１１３は、使用中テーブル保持部１１４に保持された使用中の輝度重みテーブルとしてＷＴＡ又はＷＴＢの入力を受け、画像分析部１１２によって新たに選択されたＷＴの入力を受ける。テーブル出力部１１３は、画像分析部１１２の新たな選択がＷＴＡ’である場合に以下のような動作をする。
【０１１６】
まず、過去にＷＴＡが選択された場合において、テーブル出力部１１３は、ＷＴＡ’の入力を受けると、遷移輝度重みテーブル群１１１ｂに含まれた遷移ＷＴから、ＷＴＡからＷＴＡ’へと段階的に遷移するための遷移ＷＴである遷移ＷＴＡＡ’１〜遷移ＷＴＡＡ’６を順次選択して読み出し（読み出しステップ）、これを出力する（出力ステップ、遷移テーブル出力ステップ）。つまり、テーブル出力部１１３は、遷移ＷＴＡＡ’１、遷移ＷＴＡＡ’２、遷移ＷＴＡＡ’３、遷移ＷＴＡＡ’４、遷移ＷＴＡＡ’５、及び遷移ＷＴＡＡ’６を順次に出力する。そして、テーブル出力部１１３は、輝度重みテーブル群１１１ａからＷＴＡ’を読み出して出力する（第２テーブル出力ステップ）。この際、テーブル出力部１１３は、各遷移ＷＴＡＡ’又はＷＴを１フレーム毎に出力する。本実施形態におけるテーブル出力部１１３は、１フレーム毎に違った遷移ＷＴＡＡ’又はＷＴを出力することで、６フレーム後には、出力するＷＴをＷＴＡからＷＴＡ’へと遷移させることができ、ＷＴＡからＷＴＡ’へと短期間で遷移させることができる。
【０１１７】
一方、過去にＷＴＢが選択された場合において、テーブル出力部１１３は、ＷＴＡ’の入力を受けると、遷移輝度重みテーブル群１１１ｂに含まれた遷移ＷＴから、ＷＴＢからＷＴＡ’へと段階的に遷移するための遷移ＷＴを順次選択して読み出し（読み出しステップ）、これを出力する（出力ステップ、遷移テーブル出力ステップ）。この場合、テーブル出力部１１３は、まず、ＷＴＢからＷＴＡへと段階的に遷移するための遷移ＷＴである遷移ＷＴＡＢ１〜遷移ＷＴＡＢ５を順次選択して読み出して出力し、その後、ＷＴＡを選択して読み出して出力する。そして、上記過去にＷＴＡが選択された場合のように、ＷＴをＷＴＡからＷＴＡ’へと遷移させる。つまり、テーブル出力部１１３は、遷移ＷＴＡＢ１、遷移ＷＴＡＢ２、遷移ＷＴＡＢ３、遷移ＷＴＡＢ４、遷移ＷＴＡＢ５、ＷＴＡ、遷移ＷＴＡＡ’１、遷移ＷＴＡＡ’２、遷移ＷＴＡＡ’３、遷移ＷＴＡＡ’４、遷移ＷＴＡＡ’５、及び遷移ＷＴＡＡ’６を順次に出力する。そして、テーブル出力部１１３は、輝度重みテーブル群１１１ａからＷＴＡ’を読み出して出力する（第２テーブル出力ステップ）。よって、この場合、テーブル出力部１１３は、１フレーム毎に違った遷移ＷＴ又はＷＴを出力することで、１３フレーム後には、出力するＷＴをＷＴＢからＷＴＡ’へと遷移させることができ、ＷＴＢからＷＴＡ’へと短期間で遷移させることができる。
【０１１８】
しかし、本発明はかかる例に限定されるものではなく、テーブル出力部１１３は、遷移輝度重みテーブル群１１１ｂに含まれたＷＴＢとＷＴＡ’との間を段階的に遷移させる遷移ＷＴを別途に選択してもよい。また、上記の例においては、ＷＴＡは、遷移ＷＴとして出力されてもよい。この場合、遷移輝度重みテーブル群１１１ｂは、ＷＴＡと同様のＳＦＷを有する遷移ＷＴを別途に含んでもよく、ＷＴＡを含んでもよい。また、ＷＴＡは、輝度重みテーブル群１１１ａから読み出されてもよい。
【０１１９】
以上説明したように、テーブル出力部１１３は、１フレーム毎に遷移ＷＴを出力することで、画像信号の特徴に適したＷＴを切り替え、ＷＴをＷＴＡとＷＴＢとＷＴＡ’との間を段階的に遷移させることができる（図１６参照。）。
【０１２０】
（７．テーブル出力回路の動作の他の例による効果）
以上、テーブル出力回路１１０の動作の他の例を挙げて、各構成の動作について詳しく説明した。上述のように、本発明の第１の実施形態に係る画像表示装置１００によれば、上記のテーブル出力回路１１０の動作の一例による効果に加え、所定の画像処理を施した場合にも最適な輝度重みに変更することが可能であり、ディザノイズ等の画像処理法によるノイズを低減することができる。よって、画質の劣化を招くことなく所定の画像処理を行うことができるため、非発光ＳＦの数を減らす等の動画擬似輪郭の低減性能を向上することができる。
【０１２１】
しかし、本発明は、かかる例に限定されるものではなく、画像の特徴、及び様々な画像処理法によって画質に影響を与えうる画像の特徴に対応し、最適なＷＴを選択することができ、最適な輝度重みを用いて発光することができるように、画像の特徴と最適なＷＴとを適宜設定してもよい。
【０１２２】
また、暗部の面積に応じて、ＷＴＡとＷＴＡ’とを切り替えることができるため、動画において暗部の面積が大きいときは、ＷＴＡによって発光することで、暗部の階調表示を鮮明にすることができ、暗部の面積が小さいときは、ＷＴＡ’によって発光することで、全階調に渡って鮮明な階調表示が可能となる。
【０１２３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１２４】
上記実施形態では、遷移ＷＴは、テーブル記憶部１１１が記憶する遷移輝度重みテーブル群１１１ｂに含まれるとしたが、本発明はかかる例に限定されない。例えば、遷移ＷＴは、テーブル出力部１１３によって生成されてもよく（生成ステップ）、この際、テーブル記憶部１１１は、遷移輝度重みテーブル群１１１ｂを記憶しなくてもよい。
【０１２５】
この場合、テーブル出力部１１３は、遷移ＷＴが定める各輝度重みの総和が一定となるように、遷移ＷＴを生成してもよい。また、過去に選択されＷＴの輝度重みＳＦＷ１〜ＳＦＷ１０を、旧ＳＦＷ１〜旧ＳＦＷ１０とし、新たに選択されたＷＴの輝度重みＳＦＷ１〜ＳＦＷ１０を、新ＳＦＷ１〜新ＳＦＷ１０とした場合、テーブル出力部１１３は、各遷移ＷＴの各輝度重みＳＦＷ１〜ＳＦＷ１０を式（旧ＳＦＷｎ≦遷移ＷＴのＳＦＷｎ≦新ＳＦＷｎ）又は（新ＳＦＷｎ≦遷移ＷＴのＳＦＷｎ≦旧ＳＦＷｎ）を満たすように、遷移ＷＴを生成してもよい。但し、ここで、ｎは、１から１０までの整数である。そして、テーブル出力部１１３は、各ＳＦのＳＦＷの差が、フリッカ等が発生しない大きさとなるように、遷移ＷＴを生成してもよい。
【０１２６】
また、テーブル出力部１１３は、画像分析部１１２における画像の特徴に基づいて、輝度重みを変更することによって発光パターンが変更されないように、遷移ＷＴを生成してもよい。例えば、画像分析部１１２は、画像信号を分析し、全画面の各画素の輝度を分析し、当該輝度によって発光されないＳＦを割り出し、当該発光されないＳＦを有する画素が比較的多い、当該発光されないＳＦをテーブル出力部１１３に出力してもよい。そして、テーブル出力部１１３は、当該発光されないＳＦのＳＦＷを変更して、遷移ＷＴを生成してもよい。このように遷移ＷＴを生成することにより、ＳＦＷの変更によって発光パターンが変更される画素数を減らすことができ、フリッカ等の発生を最大限抑えることができる。
【０１２７】
また、上記の実施形態のテーブル出力回路１１０の動作の一例では、画像信号の特徴は、表示する画像が動画であるか、静止画であるかの性質であるとしたが、本発明はかかる例に限定されない。画像信号の特徴は、例えば、テーブル出力回路１１０の動作の他の例で説明したように、画像信号の表す画像における輝度分布であってもよい。つまり、画像分析部１１２は、例えば、画像信号の表す画像における輝度分布に応じた輝度重みテーブルを選択してもよい。
【０１２８】
この場合、画像分析部１１２は、例えば、輝度が一定の閾値以下である画素の個数が他の閾値以上である場合には、ＷＴＡを選択し、この画素の個数が、当該他の閾値未満である場合には、ＷＴＢを選択してもよい。また、画像分析部１１２は、例えば、画像信号の輝度のヒストグラムをとり、各画素の輝度の平均値を計算し、この平均値が一定の閾値以下であれば、ＷＴＡを選択し、この平均値が一定の閾値以上であれば、ＷＴＢを選択してもよい。画像分析部１１２は、その他どのような方法によって、画像信号の表す画像における輝度分布に応じた輝度重みテーブルを選択してもよい。
【０１２９】
上記のように選択することにより、暗部が多い場合には、ＷＴＢが選択されるため、１階調毎の細かい階調表現が可能で、画質を向上させることができる。そして、暗部が少ない場合には、ＷＴＡが選択されるため、上記同様、動画を表示している際の画質を向上することができる。
【図面の簡単な説明】
【０１３０】
【図１】本発明の第１の実施形態に係る画像表示装置の構成を示す図面である。
【図２】同実施形態に係るテーブル出力回路の構成を示す図面である。
【図３】同実施形態に係るテーブル出力回路が生成する輝度重みテーブル及び遷移輝度重みテーブルの一例を示す図である。
【図４】図３に示す輝度重みテーブル及び遷移輝度重みテーブルの一例の輝度重みの変化を表すグラフである。
【図５】輝度１００を表示している際にウェイトテーブルを変更することで階調数を１２８階調から２５６階調へと変更した場合に、使用者の視覚に観測される輝度の変化を示すグラフである。
【図６】輝度１００を表示している際にウェイトテーブルを変更することで階調数を２５６階調から１２８階調へと変更した場合に、使用者の視覚に観測される輝度の変化を示すグラフである。
【図７】ＷＴＢによる非発光サブフィールドの少ない発光パターンの一例を示す図面である。
【図８】ＷＴＡによる非発光サブフィールドの少ない発光パターンの一例を示す図面である。
【図９】ＷＴＢ（２５６階調）による輝度の分布の一例を表したグラフである。
【図１０】ＷＴＡ（１２８階調）による輝度の分布の一例を表したグラフである。
【図１１】偏在性を低減した輝度重みを有する輝度重みテーブルＷＴＡ’の一例を示す図である。
【図１２】ＷＴＡ、ＷＴＢ及びＷＴＡ’が有する各サブフィールドＳＦの輝度重みＳＦＷを示すグラフである。
【図１３】ＷＴＡ’による非発光サブフィールドの少ない発光パターンの一例を示す図面である。
【図１４】ＷＴＡ’（偏在性を低減した略１２８階調）による輝度の分布の一例を表したグラフである。
【図１５】本発明の第１の実施形態に係るテーブル出力回路が生成する輝度重みテーブル及び遷移輝度重みテーブルの他の例を示す図である。
【図１６】図１５に示す輝度重みテーブル及び遷移輝度重みテーブルの一例の輝度重みの変化を表すグラフである。
【符号の説明】
【０１３１】
１００    画像表示装置
１１０    テーブル出力回路
１１１    テーブル記憶部
１１１ａ  輝度重みテーブル群
１１１ｂ  遷移輝度重みテーブル群
１１２    画像分析部
１１３    テーブル出力部
１１４    使用中テーブル保持部
１２０    発光パターン制御回路
１３０    プラズマディスプレイ
【図１】
2008165045.tif 000003
【図２】
2008165045.tif 000004
【図３】
2008165045.tif 000005
【図４】
2008165045.tif 000006
【図５】
2008165045.tif 000007
【図６】
2008165045.tif 000008
【図７】
2008165045.tif 000009
【図８】
2008165045.tif 000010
【図９】
2008165045.tif 000011
【図１０】
2008165045.tif 000012
【図１１】
2008165045.tif 000013
【図１２】
2008165045.tif 000014
【図１３】
2008165045.tif 000015
【図１４】
2008165045.tif 000016
【図１５】
2008165045.tif 000017
【図１６】
2008165045.tif 000018